(57)【要約】【課題】小型でありながら速やかな切り換えができる蓄勢装置を提供する。【解決手段】本実施の形態に係る蓄勢装置は、負荷時に変圧器のタップを切り換える負荷時タップ切換器に備えられ、前記タップを切り換えるための蓄勢装置において、付勢力を蓄える蓄勢部材と、該蓄勢部材が解放した前記付勢力を受けて、往移動／復移動する往復移動可能であり、往移動／復移動に伴って前記タップが切り換えられる蓄勢ケースと、該蓄勢ケースの往復移動を緩衝する緩衝部材と、前記蓄勢ケースの外側にて前記蓄勢ケースの往復方向の両側夫々に配されており、前記往復方向の一側にて前記蓄勢ケースの前記往復方向の他側への移動開始時に前記蓄勢ケースを前記往復方向の他側に向けて付勢し、該往復方向の他側にて前記蓄勢ケースの前記往復方向の他側への移動終了時に前記蓄勢ケースの移動を緩衝する弾性部材とを備えることを特徴とする。【選択図】図７
2020113581.tif 000002
【特許請求の範囲】
【請求項１】
負荷時に変圧器のタップを切り換える負荷時タップ切換器に備えられ、前記タップを切り換えるための蓄勢装置において、
付勢力を蓄える蓄勢部材と、
該蓄勢部材が解放した前記付勢力を受けて、往移動／復移動する往復移動可能であり、往移動／復移動に伴って前記タップが切り換えられる蓄勢ケースと、
該蓄勢ケースの往復移動を緩衝する緩衝部材と、
前記蓄勢ケースの外側にて前記蓄勢ケースの往復方向の両側夫々に配されており、前記往復方向の一側にて前記蓄勢ケースの前記往復方向の他側への移動開始時に前記蓄勢ケースを前記往復方向の他側に向けて付勢し、該往復方向の他側にて前記蓄勢ケースの前記往復方向の他側への移動終了時に前記蓄勢ケースの移動を緩衝する弾性部材と
を備えることを特徴とする蓄勢装置。
【請求項２】
前記蓄勢ケースの往復直線移動を案内する案内シャフトと、
該案内シャフトの両端部を支持する支持部材と
を更に備え、
前記蓄勢ケースは、前記往復方向の両側夫々に側壁を有しており、
前記案内シャフトは、前記側壁を貫通して前記往復方向に延び、
前記弾性部材は、前記案内シャフトに挿通されており、緩衝時に前記側壁と前記支持部材との間で圧縮されることを特徴とする請求項１に記載の蓄勢装置。
【請求項３】
前記蓄勢ケースの往復直線移動を案内する案内シャフトと、
該案内シャフトの両端部を支持する支持部材と
を更に備え、
前記蓄勢ケースは、前記往復方向の両側夫々に側壁を有しており、
前記案内シャフトは、前記側壁を貫通して前記往復方向に延び、
前記弾性部材は、緩衝時に前記側壁と前記支持部材との間で圧縮され、
前記側壁及び前記支持部材の少なくとも一方に、前記弾性部材が少なくとも圧縮時に挿入される凹部が設けられていることを特徴とする請求項１に記載の蓄勢装置。
【請求項４】
前記往復方向の両側夫々に側壁を有し、前記往復方向に往復直線移動可能な可動ケースと、
該可動ケースの前記側壁を貫通して前記往復方向に延び、前記可動ケースの往復直線移動を案内し、両端部が前記支持部材に支持されている支持シャフトと
を更に備え、
前記蓄勢部材は、前記蓄勢ケースの内側且つ前記可動ケースの内側に配されており、
前記可動ケースは、回転駆動される入力軸の回転に伴って往復移動し、
前記可動ケースの往移動／復移動に伴って、前記可動ケースと前記蓄勢ケースとの間で前記蓄勢部材が圧縮されることによって前記付勢力が蓄えられ、
前記弾性部材は、前記蓄勢ケースの前記側壁と前記支持部材との間で前記案内シャフトに沿って位置ずれ可能に配されていることを特徴とする請求項２又は３に記載の蓄勢装置。
【発明の詳細な説明】
【技術分野】
【０００１】
本発明は、負荷時に変圧器のタップを切り換える蓄勢装置に関する。
【背景技術】
【０００２】
従来、負荷時に変圧器のタップを切り換える負荷時タップ切換器が用いられている。タップとは、変圧器の巻線に設けられた接続端子である。変圧器には、相異なる変圧比に対応する複数のタップが設けられている。
負荷時タップ切換器は、例えば２つの固定接点と可動接点とを含む種々の接点を有する切り換え開閉器を備える。この場合、２つの固定接点には、複数のタップの内の相異なる２つのタップが選択的に接続される。可動接点は、変圧器の中性線に接続されており、２つの固定接点の何れか一方に選択的に接続される。可動接点の接続先が切り換えられることによって、中性線に接続されるタップが切り換えられる。変圧器の負荷に応じたタップと中性線とが接続されることによって、変圧器の変圧比が変圧器の負荷に応じた変圧比に切り換えられる。
【０００３】
特許文献１には、負荷時タップ切換器の蓄勢装置が記載されている。蓄勢装置は、切り換え開閉器を駆動するためのものである。
特許文献１に記載の蓄勢装置は、圧縮によって蓄勢されるコイルスプリング（蓄勢部材）と、往復直線移動可能な蓄勢ケースとを備える。蓄勢ケースは、コイルスプリングに付勢される都度、往移動及び復移動を交互に行なう。蓄勢ケースの往復移動に伴い、切換クランクが揺動する。可動接点は、切換クランクの揺動に伴って２つの固定接点の間で揺動する。この結果、可動接点の接続先が切り換えられる。
【０００４】
コイルスプリングによる付勢力は大きいので、可動接点が固定接点に接続されたときに大きな衝撃が生じる。この衝撃は、切換クランクがダンパ（緩衝部材）に当接することによって緩和される。故に、負荷時タップ切換器の長寿命化を図ることができる。
【先行技術文献】
【特許文献】
【０００５】
【特許文献１】特開２０１４−１９９８４８号公報
【発明の概要】
【発明が解決しようとする課題】
【０００６】
可動接点の接続先が一方の固定接点から他方の固定接点に切り換わるまでの切り換え時間が短いほど、切り換え時に変圧器の出力電圧が変動することを抑制することができる。蓄勢ケースに与えられる付勢力が大きいほど、切り換え時間は短くなる。特許文献１では、蓄勢ケースに与える付勢力の向上のために、コイルスプリングの内部に小型のコイルスプリングが配されている。
しかしながら、蓄勢ケースに与えられる付勢力が大きいほど、可動接点が固定接点に接続されたときに生じる衝撃が大きくなるので、緩衝能力が高いダンパを用いなければならない。ところが、緩衝能力が高いダンパは往々にして大型なので、装置の小型化を図ることが難しい。
【０００７】
本発明は斯かる事情に鑑みてなされたものであり、その主たる目的は、小型でありながら速やかな切り換えができる蓄勢装置を提供することにある。
【課題を解決するための手段】
【０００８】
本実施の形態に係る蓄勢装置は、負荷時に変圧器のタップを切り換える負荷時タップ切換器に備えられ、前記タップを切り換えるための蓄勢装置において、付勢力を蓄える蓄勢部材と、該蓄勢部材が解放した前記付勢力を受けて、往移動／復移動する往復移動可能であり、往移動／復移動に伴って前記タップが切り換えられる蓄勢ケースと、該蓄勢ケースの往復移動を緩衝する緩衝部材と、前記蓄勢ケースの外側にて前記蓄勢ケースの往復方向の両側夫々に配されており、前記往復方向の一側にて前記蓄勢ケースの前記往復方向の他側への移動開始時に前記蓄勢ケースを前記往復方向の他側に向けて付勢し、該往復方向の他側にて前記蓄勢ケースの前記往復方向の他側への移動終了時に前記蓄勢ケースの移動を緩衝する弾性部材とを備えることを特徴とする。
【０００９】
本実施の形態にあっては、蓄勢部材に付勢された蓄勢ケースが往移動／復移動する。蓄勢ケースの往移動／復移動に伴って、タップが切り換えられる。緩衝部材が蓄勢部材の往復移動を緩衝するので、タップの切り換え時に生じる衝撃が緩和される。
【００１０】
蓄勢ケースの外側にて、少なくとも２つの弾性部材が蓄勢ケースの往復方向の両側に配されている。
一の弾性部材（他の弾性部材）は、蓄勢ケースの往移動（復移動）の開始時に、往移動方向（復移動方向）の後側にて、蓄勢ケースを往移動方向（復移動方向）に向けて付勢する。弾性部材による付勢は蓄勢部材による付勢の一助となる。故に、速やかな切り換えを実現することができる。
【００１１】
他の弾性部材（一の弾性部材）は、蓄勢ケースの往移動（復移動）の終了時に、往移動方向（復移動方向）の前側にて、蓄勢ケースの往移動（復移動）を緩衝する。弾性部材による緩衝は緩衝部材による緩衝の一助となる。故に、緩衝能力が高い大型の緩衝部材は不要である。
しかも、蓄勢ケースの往移動時に付勢／緩衝を行なった弾性部材は、蓄勢ケースの復移動に緩衝／付勢を行なう弾性部材と兼用である。
以上の結果、装置の小型化を図ることができる。
【００１２】
本実施の形態に係る蓄勢装置は、前記蓄勢ケースの往復直線移動を案内する案内シャフトと、該案内シャフトの両端部を支持する支持部材とを更に備え、前記蓄勢ケースは、前記往復方向の両側夫々に側壁を有しており、前記案内シャフトは、前記側壁を貫通して前記往復方向に延び、前記弾性部材は、前記案内シャフトに挿通されており、緩衝時に前記側壁と前記支持部材との間で圧縮されることを特徴とする。
【００１３】
本実施の形態にあっては、蓄勢ケースの側壁を貫通する案内シャフトが蓄勢ケースの往復直線移動を案内する。案内シャフトの両端部は支持部材によって支持されている。弾性部材は、緩衝時に蓄勢ケースの側壁と支持部材との間で圧縮される。圧縮されることによって弾性部材に蓄えられた付勢力が、蓄勢ケースを付勢する。
弾性部材は案内シャフトに挿通されている。故に、弾性部材の脱落を防止することができる。
【００１４】
本実施の形態に係る蓄勢装置は、前記蓄勢ケースの往復直線移動を案内する案内シャフトと、該案内シャフトの両端部を支持する支持部材とを更に備え、前記蓄勢ケースは、前記往復方向の両側夫々に側壁を有しており、前記案内シャフトは、前記側壁を貫通して前記往復方向に延び、前記弾性部材は、緩衝時に前記側壁と前記支持部材との間で圧縮され、前記側壁及び前記支持部材の少なくとも一方に、前記弾性部材が少なくとも圧縮時に挿入される凹部が設けられていることを特徴とする。
【００１５】
本実施の形態にあっては、蓄勢ケースの側壁を貫通する案内シャフトが蓄勢ケースの往復直線移動を案内する。案内シャフトの両端部は支持部材によって支持されている。弾性部材は、緩衝時に蓄勢ケースの側壁と支持部材との間で圧縮される。圧縮されることによって弾性部材に蓄えられた付勢力が、蓄勢ケースを付勢する。
蓄勢ケースの側壁及び支持部材の少なくとも一方に設けられている凹部は、弾性部材を配するための逃げとして機能する。故に、蓄勢ケースの外側に弾性部材を配することによる装置の大型化を防止することができる。
【００１６】
本実施の形態に係る蓄勢装置は、前記往復方向の両側夫々に側壁を有し、前記往復方向に往復直線移動可能な可動ケースと、該可動ケースの前記側壁を貫通して前記往復方向に延び、前記可動ケースの往復直線移動を案内し、両端部が前記支持部材に支持されている支持シャフトとを更に備え、前記蓄勢部材は、前記蓄勢ケースの内側且つ前記可動ケースの内側に配されており、前記可動ケースは、回転駆動される入力軸の回転に伴って往復移動し、前記可動ケースの往移動／復移動に伴って、前記可動ケースと前記蓄勢ケースとの間で前記蓄勢部材が圧縮されることによって前記付勢力が蓄えられ、前記弾性部材は、前記蓄勢ケースの前記側壁と前記支持部材との間で前記案内シャフトに沿って位置ずれ可能に配されていることを特徴とする。
【００１７】
本実施の形態にあっては、可動ケースの側壁を貫通する支持シャフトが可動ケースの往復直線移動を案内する。可動ケースは入力軸の回転に伴って往復移動する。
蓄勢部材は蓄勢ケース及び可動ケース夫々の内側に配されている。可動ケースの往移動／復移動に伴って、可動ケースと蓄勢ケースとの間で蓄勢部材が圧縮され、蓄勢部材に付勢力が蓄勢される。
弾性部材を支持部材又は蓄勢ケースに固定する必要がないので、装置の組み立てが容易である。
【発明の効果】
【００１８】
本実施の形態の蓄勢装置によれば、小型でありながら速やかな切り換えができる。
【図面の簡単な説明】
【００１９】
【図１】実施の形態に係る負荷時タップ切換器を示す回路図である。
【図２】スイッチの模式図である。
【図３】蓄勢装置の側面図である。
【図４】基板の上面を見下ろす平面図である。
【図５】蓄勢装置の断面図である。
【図６】図５におけるＶＩ−ＶＩ線による蓄勢装置の断面図である。
【図７】図５におけるＶＩＩ−ＶＩＩ線による蓄勢装置の断面図である。
【図８】可動ケースが移動し、揺動部材が静止している状態を示す模式図である。
【図９】蓄勢ケースが移動し、揺動部材が回転している状態を示す模式図である。
【図１０】蓄勢ケースの移動が終了し、揺動部材の揺動が緩衝された状態を示す模式図である。
【発明を実施するための形態】
【００２０】
以下、本発明を、その実施の形態を示す図面に基づいて詳述する。
【００２１】
図１は、実施の形態に係る負荷時タップ切換器を示す回路図である。
図中１は負荷時タップ切換器であり、負荷時タップ切換器１は、変圧器とともに用いられる。
負荷時タップ切換器１は、タップ選択器１１、切り換え開閉器１２、及び蓄勢装置１３を備える。
【００２２】
タップ選択器１１はタップ巻線Ｗｔを備える。タップ巻線Ｗｔは、変圧器の主巻線Ｗに接続されている。タップ巻線Ｗｔには、変圧器の相異なる変圧比に対応するようにして、複数のタップが設けられている。タップには、夫々に奇数番号が付与された奇数タップｔ１，ｔ３，…と夫々に偶数番号が付与された偶数タップｔ２，ｔ４，…とがある。
【００２３】
タップ選択器１１は奇数タップ選択器Ｔ１と偶数タップ選択器Ｔ２とを備える。奇数タップ選択器Ｔ１は、奇数タップｔ１，ｔ３，…の内、変圧器の負荷に応じて選択された何れかひとつの奇数タップに接続される（図１においては奇数タップｔ１）。偶数タップ選択器Ｔ２は、偶数タップｔ２，ｔ４，…の内、変圧器の負荷に応じて選択された何れかひとつの偶数タップに接続される（図１においては偶数タップｔ２）。
【００２４】
切り換え開閉器１２は、限流抵抗器Ｒ、真空バルブＭ１，Ｍ２、及びスイッチ２を備える。
限流抵抗器Ｒは奇数タップ選択器Ｔ１に直列に接続されていると共に、真空バルブＭ１を介して中性線Ｎに直列に接続されている。
【００２５】
スイッチ２は固定接点２１，２２及び可動接点２３を備える。
固定接点２１は奇数タップ選択器Ｔ１に直列に接続されている。
固定接点２２は偶数タップ選択器Ｔ２に直列に接続されている。
可動接点２３は真空バルブＭ２を介して中性線Ｎに直列に接続されている。また、可動接点２３は固定接点２１，２２の何れか一方に選択的に接続される。図１においては、可動接点２３は固定接点２１に接続されている。
【００２６】
真空バルブＭ１，Ｍ２夫々は開閉可能である。閉状態／開状態の真空バルブＭ１によって、限流抵抗器Ｒは中性線Ｎに継／断される。閉状態／開状態の真空バルブＭ２によって、可動接点２３は中性線Ｎに継／断される。
真空バルブＭ１，Ｍ２夫々の開閉の切り換え及び可動接点２３の接続先の切り換えは、後述するように、蓄勢装置１３によって行なわれる。
【００２７】
可動接点２３が固定接点２１に接続されている場合、真空バルブＭ１，Ｍ２は共に閉じられている。この結果、奇数タップ選択器Ｔ１と中性線Ｎとの間の電路が通電される。この電路の中途に、限流抵抗器Ｒ及び真空バルブＭ１を通る第１の電路１２１と、スイッチ２及び真空バルブＭ２を通る第２の電路１２２とがある。第１の電路１２１と第２の電路１２２とは互いに並行である。限流抵抗器Ｒの抵抗により、奇数タップ選択器Ｔ１と中性線Ｎとの間を流れる負荷電流は、主に第２の電路１２２を通る。一方、偶数タップ選択器Ｔ２と中性線Ｎとの間の電路は、スイッチ２によって遮断されている。
【００２８】
可動接点２３の接続先が固定接点２１から固定接点２２に切り換えられる場合、まず、真空バルブＭ２が開かれる。第２の電路１２２が真空バルブＭ２によって遮断されるので、負荷電流は第１の電路１２１を通って奇数タップ選択器Ｔ１と中性線Ｎとの間を流れる。
【００２９】
次に、可動接点２３が固定接点２２に接続される。この結果、第２の電路１２２がスイッチ２及び真空バルブＭ２によって遮断され、偶数タップ選択器Ｔ２と中性線Ｎとの間の電路は、真空バルブＭ２によって遮断される。偶数タップ選択器Ｔ２と中性線Ｎとの間に負荷電流が流れないので、可動接点２３が固定接点２２に接続されたときにアークが発生することを防止することができる。一方、負荷電流は第１の電路１２１を通って奇数タップ選択器Ｔ１と中性線Ｎとの間を流れ続ける。
【００３０】
次いで、真空バルブＭ２が閉じられる。この結果、偶数タップ選択器Ｔ２と中性線Ｎとの間を負荷電流が流れる。また、奇数タップ選択器Ｔ１と偶数タップ選択器Ｔ２とが中性線Ｎを介して短絡される。このとき奇数タップ選択器Ｔ１と偶数タップ選択器Ｔ２との間に流れる短絡電流は、限流抵抗器Ｒによって制限される。
【００３１】
最後に、真空バルブＭ１が開かれる。この結果、第１の電路１２１が真空バルブＭ１によって遮断される（延いては、奇数タップ選択器Ｔ１と中性線Ｎとの間の電路が、真空バルブＭ１，Ｍ２及びスイッチ２によって遮断される）ので、奇数タップから偶数タップへの切り換えが完了する。
【００３２】
可動接点２３の接続先が固定接点２２から固定接点２１に切り換えられる場合、まず、真空バルブＭ１が閉じられる。この結果、奇数タップ選択器Ｔ１と中性線Ｎとの間の電路が、第１の電路１２１を通して通電される。負荷電流は偶数タップ選択器Ｔ２と中性線Ｎとの間を流れ続ける。このとき奇数タップ選択器Ｔ１と偶数タップ選択器Ｔ２との短絡によって生じる短絡電流は、限流抵抗器Ｒによって制限される。
【００３３】
次に、真空バルブＭ２が開かれる。この結果、偶数タップ選択器Ｔ２と中性線Ｎとの間の電路は、真空バルブＭ２によって遮断される。負荷電流は奇数タップ選択器Ｔ１と中性線Ｎとの間を、第１の電路１２１を通って流れる。
【００３４】
次いで、可動接点２３が固定接点２１に接続される。この結果、偶数タップ選択器Ｔ２と中性線Ｎとの間の電路は、スイッチ２によって遮断され、可動接点２３は奇数タップ選択器Ｔ１に接続される。ただし、真空バルブＭ２が開いているので、第２の電路１２２には通電されない。故に、可動接点２３が固定接点２１に接続されたときにアークが発生することを防止することができる。
【００３５】
最後に、真空バルブＭ２が閉じられる。この結果、偶数タップから奇数タップへの切り換えが完了する。奇数タップ選択器Ｔ１と中性線Ｎとの間を流れる負荷電流は主に第２の電路１２２を通る。
【００３６】
以上のようにして可動接点２３が固定接点２１，２２に交互に接続されることにより、奇数タップと偶数タップとが交互に切り換えられる。
可動接点２３の接続先が切り換えられることによって、中性線Ｎに接続されるタップが切り換えられる。変圧器の負荷に応じたタップと中性線Ｎとが接続されることによって、変圧器の変圧比が変圧器の負荷に応じた変圧比に切り換えられる。しかも、変圧器の主巻線Ｗと中性線Ｎとは互いに常時接続されている。故に、タップの切り換えの際にも変圧器の主巻線Ｗと中性線Ｎとの間を負荷電流が流れ続ける。
【００３７】
図２は、スイッチ２の模式図である。
固定接点２１，２２夫々は板状をなし、一方向（図中左右方向）に互いに離隔している。固定接点２１（固定接点２２）は図２に向かって左側（右側）にある。
可動接点２３は、接点本体２３１及びレバー２３２を備える。
接点本体２３１は中性線Ｎ（図１参照）に接続されている。
レバー２３２は棒状をなす。接点本体２３１はレバー２３２の一端部に設けられている。
【００３８】
レバー２３２の他端部には、円柱状の係合突起２３３が突設されている。係合突起２３３は、固定接点２１，２２の離隔方向に交差する方向、且つ、レバー２３２の長手方向に交差する方向に延びる。図２においては、係合突起２３３及の軸長方向は、紙面に垂直な方向である。
レバー２３２の中途には、枢軸２３４が設けられている。枢軸２３４は係合突起２３３に平行に延びる。枢軸２３４の軸心は、固定接点２１及び固定接点２２夫々から等距離にある。
レバー２３２は、枢軸２３４を中心に揺動可能である。レバー２３２が揺動することによって、接点本体２３１は固定接点２１，２２の間で揺動し、固定接点２１，２２の何れかに接続される。図２においては、接点本体２３１は固定接点２１に接続されている。
【００３９】
蓄勢装置１３は支持軸３１及び駆動円板３２を備える。
支持軸３１は、可動接点２３の枢軸２３４に平行に延びる。支持軸３１の軸心は、固定接点２１及び固定接点２２夫々から等距離にある。
支持軸３１には駆動円板３２が同軸に設けられている。駆動円板３２は、支持軸３１を中心に支持軸３１と一体的に正逆に回転可能である。以下では、図２に向かって左回りを正転といい、右回りを逆転という。
【００４０】
駆動円板３２の一面に対向して、従動円板２４が同軸に配されている。従動円板２４は支持軸３１を中心に正逆に回転可能に支持軸３１に支持されている。
駆動円板３２の従動円板２４に対向する面には、駆動突起３２１が設けられている。駆動突起３２１は、駆動円板３２の周縁部に配されている。
【００４１】
従動円板２４の駆動円板３２に対向する面には、２つの従動突起２４１，２４２が設けられている。従動突起２４１，２４２は従動円板２４の周方向に互いに９０°離隔している。従動円板２４の中心から従動突起２４１，２４２夫々までの距離は、駆動円板３２の中心から駆動突起３２１までの距離と同じである。駆動突起３２１は、従動円板２４の中心及び従動突起２４１，２４２による内角の範囲に配されている。可動接点２３の接点本体２３１が固定接点２１（固定接点２２）に接続されている場合、駆動突起３２１は従動突起２４１（従動突起２４２）に接触している。
【００４２】
従動円板２４の周縁部には、従動円板２４の中心に向かって延びる細長い切り欠き２４３が設けられている。切り欠き２４３は従動突起２４１，２４２の中間に配されている。切り欠き２４３には、可動接点２３の係合突起２３３が挿入されている。係合突起２３３は、切り欠き２４３の内面に沿って、切り欠き２４３の長手方向に移動可能である。
【００４３】
支持軸３１の正転に伴い、駆動円板３２が正転する。駆動円板３２が正転した場合、駆動突起３２１は従動突起２４１から離隔して従動突起２４２に接近し、駆動突起３２１が従動突起２４２に受け止められることによって、従動突起２４２を周方向に押す。従動突起２４２が押された従動円板２４は、支持軸３１を中心に正転する。
従動円板２４の正転に伴い、切り欠き２４３が支持軸３１を中心に正転方向に公転する。このとき、可動接点２３の係合突起２３３は、切り欠き２４３の内面に案内されて、可動接点２３の枢軸２３４を中心に固定接点２１側に動く。この結果、可動接点２３の接点本体２３１が固定接点２２側に動き、固定接点２２に接続される。
【００４４】
支持軸３１の逆転に伴い、駆動円板３２が逆転する。駆動円板３２が逆転した場合、駆動突起３２１は従動突起２４２から離隔して従動突起２４１に接近し、駆動突起３２１が従動突起２４１に受け止められることによって、従動突起２４１を周方向に押す。従動突起２４１が押された従動円板２４は、支持軸３１を中心に逆転する。
従動円板２４の逆転に伴い、切り欠き２４３が支持軸３１を中心に逆転方向に公転する。このとき、可動接点２３の係合突起２３３は、切り欠き２４３の内面に案内されて、可動接点２３の枢軸２３４を中心に固定接点２２側に動く。この結果、可動接点２３の接点本体２３１が固定接点２１側に動き、固定接点２１に接続される。
【００４５】
以上のように、スイッチ２の切り換えは蓄勢装置１３の支持軸３１の回転に連動する。真空バルブＭ１，Ｍ２（図１参照）夫々は、支持軸３１の回転に連動して適宜のタイミングで開閉するように構成されている。例えば、支持軸３１に不図示のカムが設けられ、カムに接触している不図示のカムフォロアを用いて、真空バルブＭ１，Ｍ２が開閉される。つまり、真空バルブＭ１，Ｍ２夫々の開閉の切り換え及び可動接点２３の接続先の切り換えは、蓄勢装置１３によって行なわれる。
【００４６】
図３は、蓄勢装置１３の側面図である。
支持軸３１の一端部には、駆動円板３２が一体的に外嵌めされている（図２参照）。支持軸３１の他端部には、揺動部材３３が一体的に外嵌めされている。以下では、支持軸３１の軸長方向を上下方向という。また、支持軸３１の駆動円板３２の側（図３中下側）を下側といい、支持軸３１の揺動部材３３の側（図３中上側）を上側という。
【００４７】
揺動部材３３は板状をなし、揺動部材３３の両面は上下に向く。揺動部材３３は、支持軸３１を中心に支持軸３１と一体的に正逆に回転可能である。
支持軸３１は基板３４を垂直に貫通している。支持軸３１は、正逆に回転可能に基板３４に支持されている。基板３４の下面は駆動円板３２の上面に向き、基板３４の上面は揺動部材３３の下面に向いている。
【００４８】
図４は、基板３４の上面を見下ろす平面図である。
図４においては、支持軸３１は紙面に垂直である。支持軸３１の正転は図４に向かって左回りであり、支持軸３１の逆転は図４に向かって右回りである。
基板３４の上面には２つの支持部材３５，３５が設けられている（図３参照）。支持部材３５，３５は、図４における左右方向、且つ図３における紙面に垂直な方向に離隔している。以下では、支持部材３５，３５の離隔方向を左右方向という。
支持部材３５は基板３４の上面から上向きに突出する壁体であり、支持部材３５の両面は左右に向く。
【００４９】
図５は、蓄勢装置１３の断面図である。
支持部材３５，３５は、支持シャフト４１の両端部を支持している。支持シャフト４１は左右方向に延びる。図３に示すように、２本の支持部材３５，３５が前後方向（図３に向かって左右方向、且つ図５の紙面に垂直な方向）に並んでいる。
図５に示すように、支持シャフト４１には蓄勢部材４２が支持されている。蓄勢部材４２は、圧縮によって蓄勢されるコイルバネである。蓄勢部材４２には支持シャフト４１が挿通されている。
【００５０】
図３及び図５に示すように、支持シャフト４１，４１には可動ケース４３が支持されている。可動ケース４３は溝形部材であり、底壁４３１及び２つの側壁４３２，４３２を備える。
底壁４３１は一方向に長い矩形状をなす。底壁４３１の両面は上下に向く。底壁４３１の長手方向は左右に向く。
各側壁４３２は底壁４３１の下面から下向きに突出している。側壁４３２，４３２は、底壁４３１の左右方向の両端部に、互いに平行に配されている。また、側壁４３２，４３２は、支持シャフト４１，４１に摺動可能に貫通されている。可動ケース４３は、支持シャフト４１，４１に案内されて左右方向に往復移動可能である。
蓄勢部材４２は、可動ケース４３の内側（側壁４３２，４３２の間）に配されている。
【００５１】
図６は、図５におけるＶＩ−ＶＩ線による蓄勢装置１３の断面図である。
図３、図５、及び図６に示すように、可動ケース４３の内側には、円板状の偏心カム４４が配されている。
偏心カム４４の一面は上向きであり、可動ケース４３の底壁４３１の下面に向かい合う。偏心カム４４の支持軸４４１は、可動ケース４３の底壁４３１に緩衝しないようにして、底壁４３１を上下方向に貫通している。
【００５２】
支持軸４４１は管状をなし、入力軸４５に一体的に外嵌めされている（図３及び図５参照。図６における支持軸４４１の図示は省略）。入力軸４５は、図示しないモータに回転駆動されて、一定の方向に半回転ずつ回転する。入力軸４５の半回転に伴い、偏心カム４４が支持軸４４１を中心に正転方向に半回転する。
図５及び図６に示すように、偏心カム４４は可動ケース４３の側壁４３２，４３２に左右両側から挟まれている。偏心カム４４が回転した場合、偏心カム４４の周面は側壁４３２，４３２に対して摺動しつつ、右側の側壁４３２を右向きに押すか、又は、左側の側壁４３２を左向きに押す。
【００５３】
更に、支持部材３５，３５は、２本の案内シャフト５１，５１夫々の両端部を支持している。
各案内シャフト５１は左右方向に延びる。一方の支持シャフト４１、案内シャフト５１，５１、及び他方の支持シャフト４１は、この順に前後方向に並んでいる。図３に示すように、支持シャフト４１，４１夫々の基板３４からの高さは案内シャフト５１，５１夫々の基板３４からの高さと同程度である。
【００５４】
案内シャフト５１，５１には蓄勢ケース５２が支持されている。
図７は、図５におけるＶＩＩ−ＶＩＩ線による蓄勢装置１３の断面図である。
図３及び図５〜図７に示すように、蓄勢ケース５２は可動ケース４３を上下反転させたような形状である。蓄勢ケース５２は、可動ケース４３の底壁４３１及び側壁４３２，４３２に対応する底壁５２１及び側壁５２２，５２２を備える。ただし、側壁５２２，５２２は、案内シャフト５１，５１に摺動可能に貫通されている。蓄勢ケース５２は、案内シャフト５１，５１に案内されて左右方向に往復移動可能である。
【００５５】
偏心カム４４の下面は、蓄勢ケース５２の底壁５２１の上面に対向している。
蓄勢ケース５２の側壁５２２，５２２は、支持シャフト４１，４１及び可動ケース４３夫々に干渉しないようにしてある。可動ケース４３の側壁４３２，４３２は、案内シャフト５１，５１及び蓄勢ケース５２夫々に干渉しないようにしてある。
蓄勢部材４２は、蓄勢ケース５２の内側（側壁５２２，５２２の間）に配されている。
【００５６】
各案内シャフト５１は２つの弾性部材５３，５３を支持している。
各弾性部材５３は、圧縮によって蓄勢されるコイルバネである。弾性部材５３には案内シャフト５１が挿通されている。
弾性部材５３，５３は何れも蓄勢ケース５２の外側に配されている。具体的には、一方の弾性部材５３は蓄勢ケース５２の左側の側壁５２２の左側に配されており、他方の弾性部材５３は蓄勢ケース５２の右側の側壁５２２の右側に配されている。
弾性部材５３はどこにも固定されておらず、支持部材３５と蓄勢ケース５２の側壁５２２との間で案内シャフト５１に沿って位置ずれ可能である。
弾性部材５３は蓄勢部材４２に比べて短い。弾性部材５３に蓄えられる付勢力は蓄勢部材４２に蓄えられる付勢力より小さい。
【００５７】
蓄勢ケース５２の左側の側壁５２２の外面には、円形状の凹部５２３が案内シャフト５１と同軸に設けられている。凹部５２３には左側の弾性部材５３の右端部が挿脱可能に挿入される。
同様に、蓄勢ケース５２の右側の側壁５２２の外面にも凹部５２３が設けられている。右側の凹部５２３には右側の弾性部材５３の左端部が挿脱される。
【００５８】
図３に示すように、蓄勢ケース５２の底壁５２１には挟持部５２４が一体的に設けられている。挟持部５２４は底壁５２１の下面から下向きに突出している。
図４に示すように、２つの挟持部５２４，５２４が左右に並設されている。挟持部５２４，５２４は後述する公転ローラ３３０を左右両側から挟んでいる。挟持部５２４，５２４は、蓄勢ケース５２の左右方向の移動に伴い、公転ローラ３３０を挟んだまま左右方向に直線移動する。
図３及び図４に示すように、公転ローラ３３０の枢軸は揺動部材３３の上面に垂直に固定されている。公転ローラ３３０は揺動部材３３の周方向の中心に配されている。公転ローラ３３０は支持軸３１を中心に正逆に公転可能である。公転ローラ３３０は、挟持部５２４，５２４の右側／左側への移動に伴って正／逆に公転する。
【００５９】
図４に示すように、揺動部材３３の周縁部には、２つの当接部３３１，３３２が設けられている。当接部３３１，３３２は、支持軸３１の周方向に互いに離隔しており、揺動部材３３の周方向の両端部から周方向に延設されている。
【００６０】
基板３４には緩衝部材３６が配されている。
緩衝部材３６は、２つの受け具３６１，３６２とバネケース３６３とを備える。
バネケース３６３は基板３４に固定されている。バネケース３６３には圧縮コイルバネ３６４が収容されている。圧縮コイルバネ３６４は左右方向に延びる。
【００６１】
受け具３６１はバネケース３６３から左向きに突出する押しボタンである。受け具３６１は圧縮コイルバネ３６４の左端部に連なる。受け具３６１がバネケース３６３に押し込まれた場合、圧縮コイルバネ３６４が圧縮される。受け具３６２は受け具３６１と略同様であるが、圧縮コイルバネ３６４の右端部に連なり、バネケース３６３から右向きに突出する。
揺動部材３３の回転に伴い、揺動部材３３の当接部３３１（当接部３３２）は緩衝部材３６の受け具３６１（受け具３６２）に接離する。
【００６２】
揺動部材３３には、ストッパ受け３３７，３３８が設けられている。ストッパ受け３３７，３３８夫々は、揺動部材３３の周面に設けられた凹部である。ストッパ受け３３７は当接部３３２の近傍に配されている。ストッパ受け３３８は当接部３３１の近傍に配されている。
【００６３】
基板３４にはストッパ３７，３８が左右方向に並設されている。
ストッパ３７は正逆に回転可能なレバーである。ストッパ３７はストッパ本体３７１及び係合解除部３７２を備える。ストッパ本体３７１は揺動部材３３の周面に摺動し、揺動部材３３のストッパ受け３３７に係脱する。ストッパ３７はストッパ本体３７１が揺動部材３３の周縁部に接触する方向に付勢されている。ストッパ本体３７１がストッパ受け３３７に係合している場合、揺動部材３３は正転を阻止される。係合解除部３７２は揺動部材３３から遠ざかる向きに延びる。
ストッパ３８はストッパ本体３８１及び係合解除部３８２を備える。ストッパ３８はストッパ３７と略同様の構成であるが、ストッパ本体３８１は揺動部材３３のストッパ受け３３８に係脱する。ストッパ本体３８１がストッパ受け３３８に係合している場合、揺動部材３３は逆転を阻止される。
【００６４】
ストッパ本体３７１がストッパ受け３３７に係合している場合、ストッパ本体３８１はストッパ受け３３８から離脱している。ストッパ本体３８１がストッパ受け３３８に係合している場合、ストッパ本体３７１はストッパ受け３３７から離脱している。
ストッパ３７は右側に配され、ストッパ３８は左側に配されている。係合解除部３７２，３８２は互いに左右方向に対向している。
【００６５】
図３に示すように、可動ケース４３は係合解除部４３３及びブラケット４３４を備える。ブラケット４３４は可動ケース４３の底壁４３１から下向きに延設されている。係合解除部４３３はブラケット４３４の先端に設けられた下向きのピンである。係合解除部４３３はストッパ３７の係合解除部３７２とストッパ３８の係合解除部３８２との間にあり、可動ケース４３の左右方向の移動に伴い、係合解除部３７２，３８２夫々に接離する（図４参照）。
【００６６】
図４〜図７は、可動ケース４３の左側の側壁４３２が左側の支持部材３５に最接近し、蓄勢ケース５２の左側の側壁５２２が左側の支持部材３５に接近した状態を示している。
図４〜図７に示す状態においては、スイッチ２の可動接点２３は固定接点２１に接続されている（図１及び図２参照）。
【００６７】
スイッチ２の可動接点２３が固定接点２１に接続されている場合、図６及び図７に示すように、可動ケース４３の左側の側壁４３２及び蓄勢ケース５２の左側の側壁５２２は何れも左側の支持部材３５に接近した状態で静止している。蓄勢部材４２，４２夫々は圧縮されていない。蓄勢ケース５２の右側の弾性部材５３，５３夫々も圧縮されていない。一方、左側の弾性部材５３，５３夫々は左側の支持部材３５と蓄勢ケース５２の左側の側壁５２２との間で圧縮されており、各弾性部材５３の右端部は凹部５２３に挿入されている。左側の弾性部材５３，５３夫々には、蓄勢ケース５２を右側に付勢する方向の付勢力が蓄えられている。
【００６８】
スイッチ２の可動接点２３が固定接点２１に接続されている場合、図４に示すように、揺動部材３３は、当接部３３１が緩衝部材３６の受け具３６１に接近した位置で静止している。更に、揺動部材３３のストッパ受け３３７とストッパ３７のストッパ本体３７１とが互いに係合しており、揺動部材３３の正転が阻止されている。可動ケース４３の係合解除部４３３は、ストッパ３８の係合解除部３８２に接触している。
【００６９】
スイッチ２の可動接点２３の接続先を固定接点２２に切り換える場合、まず、入力軸４５が回転を開始する。入力軸４５の回転の開始に伴って偏心カム４４が回転を開始し、偏心カム４４の回転の開始に伴い、可動ケース４３が右側に移動し始める。
ストッパ３７によって揺動部材３３の正転が阻止されている場合、揺動部材３３は静止している。揺動部材３３と蓄勢ケース５２とは互いに連動するので、揺動部材３３が静止している場合、蓄勢ケース５２も静止している。
【００７０】
図８は、可動ケース４３が移動し、揺動部材３３が静止している状態を示す模式図である。図８の上半分は図５に示すＶＩ−ＶＩ線による蓄勢装置１３の断面図であり（支持軸４４１の図示は省略）、図８の下半分は基板３４の上面を見下ろす平面図である。
各蓄勢部材４２の両端部には、蓄勢部材４２の両端部を受ける図示しない２つのバネ受けが設けられている。可動ケース４３が右側に移動することにより、可動ケース４３の左側の側壁４３２が蓄勢ケース５２の右側の側壁５２２に接近する。このとき、蓄勢部材４２の２つのバネ受けは左側の側壁４３２及び右側の側壁５２２に係合する。この結果、蓄勢部材４２は可動ケース４３の左側の側壁４３２と蓄勢ケース５２の右側の側壁５２２との間で圧縮される。圧縮された蓄勢部材４２，４２夫々には、可動ケース４３を左側に付勢し、蓄勢ケース５２を右側に付勢する方向の付勢力が蓄えられる。
【００７１】
可動ケース４３が右側に移動することにより、可動ケース４３の係合解除部４３３がストッパ３８の係合解除部３８２から離れて右側に移動し、ストッパ３７の係合解除部３７２に接触する。
更に係合解除部４３３が右側に移動して係合解除部３７２を右側に押すと、ストッパ３７が正転する。ストッパ３７の正転に伴い、ストッパ３７のストッパ本体３７１が揺動部材３３のストッパ受け３３７から抜脱される。即ち、ストッパ３７による揺動部材３３の正転の阻止が解除される。揺動部材３３の正転が可能になると、蓄勢ケース５２の移動が可能になる。
【００７２】
図９は、蓄勢ケース５２が移動し、揺動部材３３が回転している状態を示す模式図である。図９の上半分は図５に示すＶＩＩ−ＶＩＩ線による蓄勢装置１３の断面図であり、図９の下半分は基板３４の上面を見下ろす平面図である。
図８に示すように、蓄勢部材４２，４２夫々は圧縮されており、蓄勢部材４２，４２夫々には可動ケース４３を左側に付勢し、蓄勢ケース５２を右側に付勢する方向の付勢力が蓄えられている。また、左側の弾性部材５３，５３夫々には、蓄勢ケース５２を右側に付勢する方向の付勢力が蓄えられている。可動ケース４３の左側への移動は偏心カム４４によって阻止されている。
【００７３】
蓄勢ケース５２の左側への移動が可能になったので、図９に示すように、蓄勢部材４２，４２及び左側の弾性部材５３，５３夫々の付勢力が解放される。蓄勢ケース５２は蓄勢部材４２，４２及び左側の弾性部材５３，５３によって右側に付勢され、右側に移動する。ただし、弾性部材５３は蓄勢部材４２が付勢力を失うよりも早く付勢力を失う。即ち、弾性部材５３による付勢は主として蓄勢ケース５２の移動開始時に行なわれる。左側の弾性部材５３，５３による付勢は蓄勢部材４２，４２による付勢の一助となる。
【００７４】
蓄勢ケース５２の右側への移動（即ち挟持部５２４，５２４の右側への移動）に伴い、公転ローラ３３０が支持軸３１を中心に正転方向に公転するので、揺動部材３３は正転する。ストッパ３７，３８のストッパ本体３７１，３８１は揺動部材３３の周縁部に接触する方向に付勢されているので、揺動部材３３の正転中、ストッパ本体３７１，３８１は揺動部材３３に揺動部材３３の周縁部に接触している。
【００７５】
図１０は、蓄勢ケース５２の移動が終了し、揺動部材３３の回転が緩衝された状態を示す模式図である。図１０の上半分は図５に示すＶＩＩ−ＶＩＩ線による蓄勢装置１３の断面図であり、図１０の下半分は基板３４の上面を見下ろす平面図である。
蓄勢ケース５２が右側に移動した場合、蓄勢ケース５２の各凹部５２３に右側の弾性部材５３の左端部が挿入される。蓄勢ケース５２が右側に移動し続けることによって、右側の弾性部材５３は右側の支持部材３５と蓄勢ケース５２の右側の側壁５２２との間で圧縮される。
【００７６】
圧縮された右側の弾性部材５３，５３夫々には、蓄勢ケース５２を左側に付勢する方向の付勢力が生じるので、右側の弾性部材５３，５３は蓄勢ケース５２の左側への移動を緩衝する。弾性部材５３に蓄えられる付勢力は蓄勢部材４２に蓄えられる付勢力より小さいので、右側の弾性部材５３，５３の緩衝によって蓄勢ケース５２が停止したり左方向へ戻ったりすることはない。
【００７７】
揺動部材３３の正転によって、揺動部材３３の当接部３３２が緩衝部材３６に接近し、緩衝部材３６の受け具３６２に当接する。当接部３３２が当接した受け具３６２は、緩衝部材３６のバネケース３６３に押し込まれるので、圧縮コイルバネ３６４が圧縮されて、受け具３６２を押し出す方向の付勢力を生じる。この結果、緩衝部材３６は揺動部材３３の正転を緩衝する。揺動部材３３と蓄勢ケース５２とは連動しているので、緩衝部材３６は蓄勢ケース５２の左側への移動を緩衝する。つまり、右側の弾性部材５３，５３による緩衝は、蓄勢ケース５２の移動終了時に、緩衝部材３６による緩衝の一助となる。
【００７８】
揺動部材３３は緩衝部材３６に当接して正転を停止する。揺動部材３３の正転の停止に伴い、蓄勢ケース５２の右側への移動も停止する。停止した蓄勢ケース５２の右側の側壁５２２は、右側の支持部材３５に最接近している。
【００７９】
停止した揺動部材３３は、緩衝部材３６の圧縮コイルバネ３６４に生じた付勢力によって逆転を開始し、停止した蓄勢ケース５２は、揺動部材３３の逆転に伴い左側への移動を開始する。
【００８０】
揺動部材３３及び蓄勢ケース５２が停止する頃、ストッパ３８のストッパ本体３８１は揺動部材３３のストッパ受け３３８に挿入される。揺動部材３３が逆転すると、ストッパ受け３３８に挿入されたストッパ本体３８１とストッパ受け３３８とが互いに係合するので、揺動部材３３の逆転が阻止される。即ち、揺動部材３３は、正転の停止から僅かに逆転したところで静止する。この結果、蓄勢ケース５２は、蓄勢ケース５２の右側の側壁５２２が右側の支持部材３５に最接近したところから僅かに左側に戻ったところで静止する。
【００８１】
蓄勢ケース５２の右側への移動に伴う揺動部材３３の正転によって支持軸３１が正転するので、図２に示す可動接点２３が、固定接点２１から離隔して固定接点２２に接近する。揺動部材３３の停止によって支持軸３１が停止する頃、可動接点２３は固定接点２２に接続される。揺動部材３３の僅かな逆転に伴い支持軸３１も僅かに逆転するが、可動接点２３と固定接点２２との接続が断たれるほどではない。
【００８２】
蓄勢部材４２，４２及び左側の弾性部材５３，５３によって付勢されるので、可動接点２３の接続先を固定接点２１から固定接点２２に短時間で切り換えることができる。
緩衝部材３６及び右側の弾性部材５３，５３によって緩衝されるので、可動接点２３の接続先を切り換えたときに生じる衝撃を緩和することができる。
【００８３】
ところで、入力軸４５（図６及び図８参照）は半回転して停止するので、偏心カム４４も半回転して停止する。可動ケース４３は、偏心カム４４が停止するまで右側に移動し続ける。偏心カム４４の停止に伴い、可動ケース４３は、可動ケース４３の右側の側壁４３２が右側の支持部材３５に最接近した状態で停止する（図１０参照）。
【００８４】
可動接点２３の接続先を固定接点２２から固定接点２１に切り換える場合は、可動接点２３の接続先を固定接点２１から固定接点２２に切り換える場合の左右逆である。
入力軸４５の回転に伴って可動ケース４３が左側に移動することにより、可動ケース４３の右側の側壁４３２と蓄勢ケース５２の左側の側壁５２２との間で蓄勢部材４２，４２夫々が圧縮される。
可動ケース４３の係合解除部４３３が左側に移動して係合解除部３８２を左側に押すと、ストッパ３８による揺動部材３３の逆転の阻止が解除される。
【００８５】
蓄勢ケース５２は蓄勢部材４２，４２及び右側の弾性部材５３，５３によって左側に付勢され、左側に移動する。ここで、右側の弾性部材５３，５３による付勢は、蓄勢ケース５２の移動開始時に、蓄勢部材４２，４２による付勢の一助となる。
蓄勢ケース５２の左側への移動に伴って、揺動部材３３は逆転する。
【００８６】
蓄勢ケース５２が左側に移動した場合、蓄勢ケース５２の各凹部５２３に左側の弾性部材５３の右端部が挿入される。蓄勢ケース５２が左側に移動し続けることによって、左側の弾性部材５３は左側の支持部材３５と蓄勢ケース５２の左側の側壁５２２との間で圧縮される。
【００８７】
圧縮された左側の弾性部材５３，５３夫々には、蓄勢ケース５２を右側に付勢する方向の付勢力が生じるので、左側の弾性部材５３，５３は蓄勢ケース５２の右側への移動を緩衝する。弾性部材５３に蓄えられる付勢力は蓄勢部材４２に蓄えられる付勢力より小さいので、左側の弾性部材５３，５３の緩衝によって蓄勢ケース５２が停止したり右方向へ戻ったりすることはない。
【００８８】
揺動部材３３の逆転によって、揺動部材３３の当接部３３１が緩衝部材３６に接近し、緩衝部材３６の受け具３６１に当接する。このとき、緩衝部材３６は揺動部材３３の逆転を緩衝する。揺動部材３３と蓄勢ケース５２とは連動しているので、緩衝部材３６は蓄勢ケース５２の右側への移動を緩衝する。つまり、左側の弾性部材５３，５３による緩衝は、蓄勢ケース５２の移動終了時に、緩衝部材３６による緩衝の一助となる。
【００８９】
揺動部材３３及び蓄勢ケース５２が停止する頃、ストッパ３７のストッパ本体３７１は揺動部材３３のストッパ受け３３７に挿入される。ストッパ受け３３７に挿入されたストッパ本体３７１とストッパ受け３３７とが互いに係合するので、揺動部材３３の正転が阻止される。
【００９０】
蓄勢ケース５２の左側への移動に伴う揺動部材３３の逆転によって支持軸３１が逆転するので、可動接点２３が固定接点２２から離隔して固定接点２１に接近する。次いで、揺動部材３３の静止によって支持軸３１が静止し、可動接点２３が固定接点２１に接続される。
蓄勢部材４２，４２及び右側の弾性部材５３，５３によって付勢されるので、可動接点２３の接続先を固定接点２２から固定接点２１に短時間で切り換えることができる。
緩衝部材３６及び左側の弾性部材５３，５３によって緩衝されるので、可動接点２３の接続先を切り換えたときに生じる衝撃を緩和することができる。
【００９１】
以上のような負荷時タップ切換器１によれば、蓄勢部材４２に付勢された蓄勢ケース５２が右側／左側に移動する。蓄勢ケース５２の右側／左側への移動に伴って、揺動部材３３が正転方向／逆転方向に動く。揺動部材３３の動きに伴って、スイッチ２がタップを切り換える。緩衝部材３６が揺動部材３３の揺動を緩衝するので、スイッチ２の切り換え時に生じる衝撃が緩和される。
【００９２】
左側（右側）の弾性部材５３，５３は、蓄勢ケース５２の右方向（左方向）の移動の開始時に、蓄勢ケース５２を右方向（左方向）に向けて付勢する。弾性部材５３，５３，…による付勢は蓄勢部材４２による付勢の一助となる。故に、速やかな切り換えを実現することができる。
【００９３】
右側（左側）の弾性部材５３，５３は、蓄勢ケース５２の右方向（左方向）の移動の終了時に、蓄勢ケース５２の右方向（左方向）の移動を緩衝する。弾性部材５３，５３による緩衝は緩衝部材３６による緩衝の一助となる。故に、緩衝能力が高い大型の緩衝部材は不要である。
しかも、蓄勢ケース５２の右側への移動時に付勢／緩衝を行なった弾性部材５３，５３は、蓄勢ケース５２の左側への移動に緩衝／付勢を行なう弾性部材５３，５３と兼用である。
以上の結果、蓄勢装置１３の小型化を図ることができる。
【００９４】
本実施の形態では、凹部５２３は蓄勢ケース５２の側壁５２２のみに設けられているが、これに限定されるものではない。凹部５２３は蓄勢ケース５２及び支持部材３５の少なくとも一方に設けられていればよい。凹部５２３は弾性部材５３を配するための逃げなので、蓄勢ケース５２の外側に弾性部材５３を配することによる蓄勢装置１３の大型化を防止することができる。
蓄勢ケース５２の外側に弾性部材５３を配する空間的な余裕がある場合、凹部５２３は必須ではない。
【００９５】
凹部５２３には、少なくとも圧縮されている場合に弾性部材５３が挿入されればよいので、圧縮されていない弾性部材５３が凹部５２３に挿入されていてもよい。
【００９６】
弾性部材５３に案内シャフト５１が挿通されていなくてもよい。
弾性部材５３は支持部材３５又は蓄勢ケース５２に固定されていてもよい。
ただし、本実施の形態のようにして弾性部材５３に案内シャフト５１が挿通される場合、弾性部材５３の脱落を容易に防止することができる。また、弾性部材５３を蓄勢ケース５２又は支持部材３５に固定しない場合、負荷時タップ切換器１の組み立てが容易である。
弾性部材５３はコイルバネに限定されず、例えば支持部材３５又は蓄勢ケース５２に固定された板バネでもよい。弾性部材５３はバネに限定されず、圧縮によって蓄勢される構成に限定されない。
【００９７】
蓄勢部材４２はコイルバネに限定されず、圧縮によって蓄勢される構成に限定されない。
本実施の形態では２つの固定接点２１，２２が備えられている場合を例示したが、３つ以上の固定接点が備えられていてもよい。
【００９８】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００９９】
１  負荷時タップ切換器，  １３  蓄勢装置，  ３５  支持部材，  ３６  緩衝部材，  ４１  支持シャフト，  ４２  蓄勢部材，  ４３  可動ケース，  ４３２  側壁，  ４５  入力軸，  ５１  案内シャフト，  ５２  蓄勢ケース，  ５２２  側壁，  ５２３  凹部，  ５３  弾性部材，  ｔ１，ｔ３  奇数タップ（タップ），  ｔ２，ｔ４  偶数タップ（タップ）
【図１】
2020113581.tif 000003
【図２】
2020113581.tif 000004
【図３】
2020113581.tif 000005
【図４】
2020113581.tif 000006
【図５】
2020113581.tif 000007
【図６】
2020113581.tif 000008
【図７】
2020113581.tif 000009
【図８】
2020113581.tif 000010
【図９】
2020113581.tif 000011
【図１０】
2020113581.tif 000012